(57)【要約】      （修正有）【課題】スカーフ生地部分が伸びなくても、衣服を体に容易にフィットさせることができるリバーシブル衣服を提供する。【解決手段】本リバーシブル衣服は、ニット衣服１と、その前身頃にはぎ合わせたスカーフ生地２とよりなり、上記スカーフ生地は、上記ニット衣服の前身頃の胴部の両側部分３を所望の幅だけ開けて、はぎ合わされていることを特徴とする。【選択図】図１
0003164862.tif 000002
【実用新案登録請求の範囲】
【請求項１】
ニット衣服と、その前身頃にはぎ合わせたスカーフ生地とよりなり、上記スカーフ生地は、上記ニット衣服の前身頃の胴部の両側部分を所望の幅だけ開けて、はぎ合わされていることを特徴とするリバーシブル衣服。
【請求項２】
ニット製のセーターと、ニット製のベストと、ニット製のカーディガンと、１枚のスカーフから切り取られ、それぞれ対応する上記セーターとベストとカーディガンの前身頃にはぎ合わされるセーター用スカーフ生地と、ベスト用スカーフ生地と、カーディガン用スカーフ生地とよりなり、上記各スカーフ生地は、上記セーター、ベスト、カーディガンの前見頃の胴部の両幅部分を所望の幅だけ開けて、はぎあわされていることを特徴とするリバーシブル衣服。
【請求項３】
上記所望の幅は、上記ニット衣服の胴部の横幅に比べて１０％から３０％の間の長さであることを特徴とする請求項１または２記載のリバーシブル衣服。
【請求項４】
上記所望の幅は、上記ニット衣服の胴部の横幅に比べて２０％から２５％の間の長さであることを特徴とする請求項１または２記載のリバーシブル衣服。
【考案の詳細な説明】
【技術分野】
【０００１】
本考案は、リバーシブル衣服、特に、スカーフ生地をはぎ合わせたリバーシブル衣服に関するものである。
【背景技術】
【０００２】
従来、ニット衣服の前身頃にスカーフ生地をはぎ合わせたリバーシブル衣服としては特許文献１がある。
【０００３】
上記従来のリバーシブル衣服は、衣服の前身頃の一方の面はニットであり、他方の面は模様のある、上記ニット衣服の前身頃と略同一形状のスカーフ生地をはぎ合せているので、裏表で着替えることにより大幅なイメージを図ることができるという利点がある。
【先行技術文献】
【特許文献】
【０００４】
【特許文献１】登録実用新案公報第３１４８１８６号公報
【考案の概要】
【考案が解決しようとする課題】
【０００５】
しかしながら、上記リバーシブル衣服は、スカーフ生地部分が伸びないので、衣服が伸びず、体のサイズに合わせるのが難しいという欠点があった。
【課題を解決するための手段】
【０００６】
本発明のリバーシブル衣服は、ニット衣服と、その前身頃にはぎ合わせたスカーフ生地とよりなり、上記スカーフ生地は、上記ニット衣服の前身頃の胴部の両側部分を所望の幅だけ開けて、はぎ合わされていることを特徴とする。
【０００７】
また、本発明のリバーシブル衣服は、ニット製のセーターと、ニット製のベストと、ニット製のカーディガンと、１枚のスカーフから切り取られ、それぞれ対応する上記セーターとベストとカーディガンの前身頃にはぎ合わされるセーター用スカーフ生地と、ベスト用スカーフ生地と、カーディガン用スカーフ生地とよりなり、上記各スカーフ生地は、上記セーター、ベスト、カーディガンの前見頃の胴部の両幅部分を所望の幅だけ開けて、はぎあわされていることを特徴とする。
【０００８】
また、上記所望の幅は、上記ニット衣服の胴部の横幅に比べて１０％から３０％の間の長さ、好ましくは２０％から２５％の間の長さであることを特徴とする。
【考案の効果】
【０００９】
本考案のリバーシブル衣服においては、ニット衣服の前身頃の胴部の両側部分を所望の幅だけ開けて、スカーフ生地をはぎ合わせたので、スカーフ生地部分が伸びなくても、スカーフ生地がはぎ合わされていないニット衣服の両側部分が伸びるので、衣服を体に容易にフィットさせることができるという大きな利益がある。
【００１０】
また、上記所望の幅を上記ニット衣服の胴部の横幅に比べて１０％から３０％の間の長さ、好ましくは２０％から２５％の間の長さとすることにより、衣服を着た時には、前身頃の胴部の両側部分は、脇腹部分に位置して、正面からはニット部分が見えず、リバーシブル衣服の見た目が良く、また、十分な伸び幅を確保できて、衣服を体に容易にフィットさせることができる。
【図面の簡単な説明】
【００１１】
【図１】本発明のリバーシブル衣服の正面図である。
【図２】本発明のリバーシブル衣服の他の実施例の正面図である。
【考案を実施するための形態】
【００１２】
以下、図面によって本考案の実施例を説明する。
【実施例１】
【００１３】
図１は、本考案のリバーシブル衣服を示し、１は胴部における幅（胸幅、ウエスト幅、裾幅）が略同じ長さの形状からなる、例えばセーターなどの前閉じのニット衣服、２は上記ニット衣服の前身頃にはぎ合わせたスカーフ生地であり、上記スカーフ生地は、上記ニット衣服の胴部における両側部分３，３を所望の幅Ｂだけ開けて、はぎ合わせる。
【００１４】
上記所望の幅Ｂは、ニット衣服の胴部の幅Ａに対して、１０％から３０％の間の長さであり、好ましくは２０％から２５％の間の長さである。
【００１５】
本考案のリバーシブル衣服においては、ニット衣服の前身頃の胴部の両側部分を所望の幅だけ開けて、スカーフ生地をはぎ合わせたので、スカーフ生地部分が伸びなくても、スカーフ生地がはぎ合わされていないニット衣服の両側部分が伸びるので、衣服を体に容易にフィットさせることができるという大きな利益がある。
【００１６】
また、スカーフ生地の幅が狭くなるので、従来のように、ニット衣服のウエスト部分を細く絞らなくても、ウエスト部分の幅を絞ったように見えて、見た目が良い。
【００１７】
また、上記所望の幅を上記ニット衣服の胴部の横幅に比べて１０％から３０％の間の長さ、好ましくは２０％から25％の間の長さとすることにより、衣服を着た時には、前身頃の胴部の両側部分は、脇腹部分に位置して、正面からはニット部分が見えず、リバーシブル衣服の見た目が良く、また、十分な伸び幅を確保できて、衣服を体に容易にフィットさせることができる。
【００１８】
なお、ニット衣服の胴部における幅（胸幅、ウエスト幅、裾幅）が異なる長さの場合でも本考案は適用できる。
【００１９】
また、上記所望の幅は、特に、ウエスト幅、裾幅において、それぞれ衣服の横幅に対して同じ割合の長さとするのが好ましい。
【実施例２】
【００２０】
図２は本考案の第２の実施例を示し、上記第１の実施例のセーターなどの前閉じのニット衣服の変わりに、カーディガンやベストなどの前開きのニット衣服を用いた例を示す。
【００２１】
この第２の実施例においても、第１の実施例と同様、衣服を体に容易にフィットさせることができ、また、見た目も良い。
【実施例３】
【００２２】
本考案の第３の実施例は、ニット製のセーターと、ニット製のベストと、ニット製のカーディガンと、１枚のスカーフから切り取られ、それぞれ対応する上記セーターとベストとカーディガンの前身頃にはぎ合わされるセーター用スカーフ生地と、ベスト用スカーフ生地と、カーディガン用スカーフ生地とよりなり、上記各スカーフ生地は、各衣服の前身頃の胴部における両側部分を所望の幅Ｂだけ開けて、はぎ合わせる。
【００２３】
この第３の実施例においては、同時に着ることが可能なセーター、ベスト、カーディガンの３点セットの前身頃に、一枚のスカーフから切り取ったスカーフ生地をそれぞれはぎ合わせるので、セーター、ベスト、カーディガンを同時に着たときに模様の統一を図ることができる。
【００２４】
また、第１の実施例及び第２の実施例と同様、衣服を体に容易にフィットさせることができ、また、見た目も良い。
【符号の説明】
【００２５】
１    ニット衣服
２    スカーフ生地
３    両側部分
【図１】
0003164862.tif 000003
【図２】
0003164862.tif 000004
【手続補正書】
【提出日】平成22年10月19日(2010.10.19)
【手続補正１】
【補正対象書類名】実用新案登録請求の範囲
【補正対象項目名】全文
【補正方法】変更
【補正の内容】
【実用新案登録請求の範囲】
【請求項１】
ニット衣服と、その前身頃にはぎ合わせたスカーフ生地とよりなり、上記スカーフ生地は、上記ニット衣服の前身頃の胴部の両側部分を所望の幅だけ開けて、はぎ合わされていることを特徴とするリバーシブル衣服。
【請求項２】
同時に着ることが可能なニット製のセーターと、ニット製のベストと、ニット製のカーディガンと、１枚のスカーフから切り取られた、上記ニット製のセーターの前身頃にはぎ合わされるセータ用スカーフ生地と、上記ニット製のベストの前身頃にはぎ合わされるベスト用スカーフ生地と、上記ニット製のカーディガンの前身頃にはぎ合わされるカーディガン用スカーフ生地とよりなり、上記各スカーフ生地は、上記セーター、ベスト、カーディガンの前身頃の胴部の両幅部分を所望の幅だけ開けて、はぎあわされていることを特徴とするリバーシブル衣服。
【請求項３】
上記所望の幅は、上記ニット衣服の胴部の横幅に比べて１０％から３０％の間の長さであることを特徴とする請求項１または２記載のリバーシブル衣服。
【請求項４】
上記所望の幅は、上記ニット衣服の胴部の横幅に比べて２０％から２５％の間の長さであることを特徴とする請求項１または２記載のリバーシブル衣服。
【手続補正２】
【補正対象書類名】明細書
【補正対象項目名】０００７
【補正方法】変更
【補正の内容】
【０００７】
また、本考案のリバーシブル衣服は、同時に着ることが可能なニット製のセーターと、ニット製のベストと、ニット製のカーディガンと、１枚のスカーフから切り取られた、上記ニット製のセーターの前身頃にはぎ合わされるセータ用スカーフ生地と、上記ニット製のベストの前身頃にはぎ合わされるベスト用スカーフ生地と、上記ニット製のカーディガンの前身頃にはぎ合わされるカーディガン用スカーフ生地とよりなり、上記各スカーフ生地は、上記セーター、ベスト、カーディガンの前身頃の胴部の両幅部分を所望の幅だけ開けて、はぎあわされていることを特徴とする。
【手続補正３】
【補正対象書類名】明細書
【補正対象項目名】００２２
【補正方法】変更
【補正の内容】
【００２２】
本考案の第３の実施例は、ニット製のセーターと、ニット製のベストと、ニット製のカーディガンと、１枚のスカーフから切り取られた、上記セーターとベストとカーディガンの前身頃にそれぞれはぎ合わされるセーター用スカーフ生地と、ベスト用スカーフ生地と、カーディガン用スカーフ生地とよりなり、上記各スカーフ生地は、各衣服の前身頃の胴部における両側部分を所望の幅Ｂだけ開けて、はぎ合わせる。